(57)【特許請求の範囲】
【請求項１】
情報処理システムデバイスを搭載するのに適したハウジングと、
上記ハウジングに設置され、上記ハウジング内に設置される情報処理システムデバイスの被係合面に直接係合するのに適したリテーニング部位と、
上記ハウジングに設置され、上記ハウジングに上記情報処理システムデバイスを上記リテーニング部位を介して固定するのに適した選択機構とを含み、
上記選択機構は、上記ハウジングに第１の位置と第２の位置間で移動可能であるべく摺動可能に結合され、
上記選択機構が上記第１の位置から上記第２の位置まで移動される際、上記選択機構が上記リテーニング部位と接触して該リテーニング部位を情報処理システムデバイスの被係合面に向かって移動させ、これにより、上記ハウジングに情報処理システムデバイスを固定させ、
上記選択機構が上記第２の位置から上記第１の位置まで移動される際、上記選択機構が上記リテーニング部位と接触して該リテーニング部位を上記情報処理システムデバイスの被係合面から離れる方向に持ち上げ、これにより、上記リテーニング部位と上記情報処理システムデバイスとの干渉がない情報処理システムデバイスの挿入及び取り外しの少なくともいずれかが許容される、デバイス保持装置。
【請求項２】
上記リテーニング部位は、上記ハウジングの一体部品として形成された、請求項１記載のデバイス保持装置。
【請求項３】
上記リテーニング部位は、上記情報処理システムデバイスの被係合面に設けられる穴と嵌合するのに適したリテーニングタブを含む、請求項１記載のデバイス保持装置。
【請求項４】
上記ハウジングは、上記ハウジングの略反対側の部位にそれぞれ設置された、上記選択機構を含む第１の側面と、情報処理システムデバイスを上記ハウジングの上記第１の側面に向かって付勢するバイアス機構を含む第２の側面とを含む、請求項１記載のデバイス保持装置。
【請求項５】
上記選択機構は、保持のための機構を手動で操作することができるようにハンドルを含み、上記ハンドルは、上記ハウジングの前側からの操作、及び上記ハウジングの上記側面からの操作の少なくともいずれかが可能である、請求項１記載のデバイス保持装置。
【請求項６】
上記選択機構には目視用の開口が設けられ、該目視用の開口は、上記選択機構の移動に伴って上記ハウジングに対する位置関係が変化し、上記選択機構が上記第１の位置にあるときに上記ハウジングに設置された解放状態の表示、及び上記選択機構が上記第２の位置にあるときに上記ハウジングに設置された固定状態の表示の少なくともいずれかを見ることができるようにする、請求項１記載のデバイス保持装置。
【請求項７】
情報処理システムデバイス及び構成要素の収納に適したシャシーと、
情報処理システムデバイスを搭載するのに適したハウジングと、
上記ハウジングに設置され、上記ハウジング内に設置される情報処理システムデバイスの被係合面に直接係合するのに適したリテーニング部位と、
上記ハウジングに設置され、上記ハウジングに上記情報処理システムデバイスを上記リテーニング部位を介して固定するのに適した選択機構とを含み、
上記選択機構は、上記ハウジングに第１の位置と第２の位置間で移動可能であるべく摺動可能に結合され、
上記選択機構が上記第１の位置から上記第２の位置まで移動される際、上記選択機構が上記リテーニング部位と接触して該リテーニング部位を上記情報処理システムデバイスの被係合面に向かって移動させ、これにより、上記ハウジングに情報処理システムデバイスを固定させ、
上記選択機構が上記第２の位置から上記第１の位置まで移動される際、上記選択機構が上記リテーニング部位と接触して該リテーニング部位を上記情報処理システムデバイスの被係合面から離れる方向に持ち上げ、これにより、上記リテーニング部位と上記情報処理システムデバイスとの干渉がない情報処理システムデバイスの挿入及び取り外しの少なくともいずれかが許容される、情報処理システム用シャシー。
【請求項８】
上記リテーニング部位は、上記ハウジングの一体部品として形成された、請求項７記載の情報処理システム用シャシー。
【請求項９】
上記リテーニング部位は、上記情報処理システムデバイスの被係合面に設けられる穴と嵌合するのに適したリテーニングタブを含む、請求項７記載の情報処理システム用シャシー。
【請求項１０】
上記ハウジングは、上記ハウジングの略反対側の部位にそれぞれ設置された、上記選択機構を含む第１の側面と、情報処理システムデバイスを上記ハウジングの上記第１の側面に向かって付勢するバイアス機構を含む第２の側面とを含む、請求項７記載の情報処理システム用シャシー。
【請求項１１】
上記選択機構は、保持のための機構を手動で操作することができるようにハンドルを含み、上記ハンドルは、上記ハウジングの前側からの操作、及び上記ハウジングの上記側面からの操作の少なくともいずれかが可能である、請求項７記載の情報処理システム用シャシー。
【請求項１２】
上記選択機構には目視用の開口が設けられ、該目視用の開口は、上記選択機構の移動に伴って上記ハウジングに対する位置関係が変化し、上記選択機構が上記第１の位置にあるときに上記ハウジングに設置された解放状態表示、及び上記選択機構が上記第２の位置にあるときに上記ハウジングに設置された固定状態表示の少なくともいずれかを見ることができるようにする、請求項７記載の情報処理システム用シャシー。
【発明の詳細な説明】
【０００１】
【発明の属する技術分野】
本発明は、情報処理システムデバイスに対する搭載用デバイスの分野に係り、より詳細には、デバイス保持装置に関する。
【０００２】
【従来の技術】
情報処理システムの製造及び組立ては、徐々に複雑化している。製造業者は、絶え間なく設計の改善しようと努力し、情報処理システムの特徴は、依然として競争力のある価格を提供する。そのような改善の一分野は、情報処理システムにおけるデバイスの搭載にある。典型的なデスクトップシステム、タワー、サーバー、及びその類のような情報処理システムは、コンパクトディスク読み出し専用メモリ（ＣＤ−ＲＯＭｓ）、デジタルビデオ（ＤＶＤ）プレイヤー、フロッピードライバー、及びその類にような情報処理システムデバイスを含んでもよい。これらのデバイスは、一般的には、ユーザーが望むように情報処理システムの機能を増強するため付加される。しかしながら、情報処理システム内へのこれらのデバイスの設置は、非常に骨が折れるものである。例えば、情報処理システム内へのハードディスクドライブの設置は、そのシステム内の含まれたハウジングにそのドライブを取り付けるため、典型的には４個のスクリュウを伴うものである。一般的に、これらのスクリュウは、うまく扱って取り付けることを困難にさせるほど小さいものである。更に、小さい大きさが原因でスクリュウが組立て人によって落とされてしまい、情報処理システムへのショート、可動部品内の詰まり、及びその類に起因する破損を引き起こすことが考えられる。更に、情報処理システムは、徐々に小型化されている。このより小さいサイズは、対応してスペースの不足をもたらし、それ故に、情報処理システム内にデバイスを搭載することをより困難にする。
【０００３】
更に、情報処理システムのグレードアップ及び修理は、徐々に複雑化してきた。例えば、ユーザーは、情報処理システムにより大きなハードドライブ、デジタルビデオ（ＤＶＤ）プレイヤー、及びその類を付加することを望む場合がある。しかしながら、古いデバイスの除去することは、ユーザーに対して古いデバイスを外すために複数のスクリュウを取り外すこと、更に新たなデバイスを設置するために追加のスクリュウを取り付けることを要求することになる。これは、結果としてスクリュウ及び他の取り付けるハードウェアのようなコンポーネントの紛失を招くばかりでなく重大な時間をも要する。
【０００４】
それ故に、改善されたデバイス保持装置を提供することは望ましいだろう。
【０００５】
【発明が解決しようとする課題】
本発明は、改善されたデバイス保持装置の提供を目的とする。
【０００６】
【課題を解決するための手段】
本発明は、デバイス保持装置に向けられる。デバイス保持装置は、情報処理システムデバイスを搭載するのに適するハウジング及びハウジングに設置されたリテーニング部位を含み、リテーニング部位は、情報処理システムデバイスがハウジング内に設置されるときにそれらと嵌合するのに適している。情報処理システムデバイスをハウジングに固定するのに適する選択機構は、ハウジングに第１の位置と第２の位置の間で移動することができるように摺動可能に結合される。それ故に、選択機構が第１の位置から第２の位置へと移動するとき、選択機構は、リテーニング部位に接触することにより、ハウジングに情報処理システムデバイスを固定させる。
【０００７】
本発明の第２の局面においては、デバイス保持装置は、情報処理システムデバイスを搭載するのに適するハウジング及びハウジングに設置されたリテーニング部位を含み、リテーニング部位は、情報処理システムデバイスがハウジング内に設置されるときにそれらと嵌合するのに適している。情報処理システムデバイスをハウジングに固定するのに適する選択機構は、選択機構がハウジングに沿って摺動するときにリテーニング部位に接触することができるように、ハウジングに摺動可能に結合される。従って、リテーニング部位は、ハウジングに情報処理システムデバイスと嵌合すること、若しくはハウジングから情報処理システムデバイスを解放することの少なくともいずれかをすることができる。
【０００８】
本発明の第３の局面においては、情報処理システムシャシーは、情報処理システムデバイスの格納に適するシャシー、及び情報処理システムデバイスを搭載するのに適する構成要素及びハウジングを含む。リテーニング部位は、ハウジングに設置され、リテーニング部位は、情報処理システムデバイスがハウジング内に設置されたときそれらと嵌合するのに適している。情報処理システムデバイスをハウジングに固定するのに適する選択機構は、ハウジングに第１の位置と第２の位置の間で移動することができるように摺動可能に結合される。それ故に、選択機構が第１の位置から第２の位置へと移動するとき、選択機構は、リテーニング部位に接触することにより、ハウジングに情報処理システムデバイスを固定する。
【０００９】
上述した概要的な説明及び次の詳細な説明の双方は、模範的及び説明的であるだけであり、請求項に記載された発明を限定するものでないことを理解されたい。添付図面は、本明細書に組み込まれその一部として構成するものであるが、本発明の実施形態を示し、概要的な説明と共に本発明の原理を説明する役割をする。
【００１０】
【発明の実施の形態】
本発明の数ある効果は、当業者によって添付図面を参照することにより、更に良く理解されるだろう。
【００１１】
本発明の現時点の好ましい実施形態を詳細に参照し、それらの実施形態の例を、添付図面中に示す。
【００１２】
図１乃至図７では、一般的に本発明の模範的な実施形態が示される。デスクトップコンピュータ、タワーシステム、コンバージェンスシステム、サーバー、及びその類のような情報処理システムは、製造し最新のものにするのに複雑化される場合がある。コンパクトディスク読み出し専用メモリ（ＣＤ−ＲＯＭｓ）、デジタルビデオ（ＤＶＤ）、ディスクドライブ、フロッピーディスク、フロッピー／光ディスク、及びその類のような情報処理システムデバイスを設置・取り外しするためには、一般的に、設置し置き換えるために尽力する時間を要する。例えば、ユーザーがより大きいハードディスクドライブのようなものを設置することによってデバイスを最新のものとすることを望む場合、ユーザーは、情報処理システム用シャシーの限定された範囲内で実現されるべく時間を浪費する作業に没頭する必要がある。本発明は、ユーザーによる簡単な作業を可能とする搭載用組立体を提供し、よって情報処理システムデバイスのより確実な方法によるより迅速な設置・取り外しを可能とすることでこれらの問題点を対処する。
【００１３】
図１には、本発明の模範的な実施形態が示される。デバイス保持組立体１００は、情報処理システムデバイス１０４及び１０６を搭載するのに適したハウジング１０２を含んでもよい。選択機構１０８は、ハウジング１０２に摺動可能に設置され、これは、ハウジング１０２に選択機構１０８を固定するブラケット１１０の使用によって実現される。ブラケット１１０は、選択機構１０８がリテーニング部位１１４と接触することによりハウジング１０２にデバイス１０６を固定させるところである第１の位置１１２へ選択機構１０８が摺動することを許容する。ブラケット１１０は、更に、選択機構１０８がリテーニング部位１１４と接触することによりハウジング１０２からデバイス１０４の取り外しを可能させるところである第２の位置１１６へ選択機構１０８が摺動することを許容する。リテーニング部位１１４は、デバイスに設置された搭載用穴１１８に挿入・嵌合されるのに適するように形成されてもよい。選択機構１０８を摺動するためブラケットの使用が開示されているが、当業者であれば選択機構の移動を許容する多様な方法及び装置から本発明の精神及び観点から逸脱することなく選択するだろうということは、明らかであるべきである。
【００１４】
図２Ａでは、図１で示す模範的な実施形態の側面図が示され、デバイス保持装置がデバイスを固定するための操作がなされる。デバイス保持装置は、ハウジング１０２に設置された選択機構１０８を含んでもよく、選択機構１０８は、ハウジング１０２に沿ってブラケット１１０の使用によって摺動可能である。ハウジング１０２内にデバイス１０４（図１）を固定するため、選択機構１０８は、移動することにより、リテーニング部位１１４の選択機構１０８との引っ掛りを引き起こし、それにより、ハウジング１１２の内部に向かってリテーニング部位１１４に荷重を負荷してもよい。このように、リテーニング部位１１４は、ハウジング１０２に設置されたデバイス１０４（図１）と嵌合してもよく、ハウジング１０２にデバイス１０４（図１）が固定される。アパーチャ１２０を通ったリテーニング部位１１４の移動を許容するため選択機構１０８にアパーチャ１２０を含むことは望ましく、それ故にリテーニング部位１１４の操作範囲が増加される。アパーチャ１２０の第１のエッジ部分１２２は、その後リテーニング部位１１４と接触することにより、固定位置にリテーニング部位１１４を移動させるために利用されてもよい。
【００１５】
選択機構１０８の状態を指示するため選択機構１０８の一部として目視用部位１２４を含むことも好ましい。例えば、選択機構１０８が図２Ａに示すような固定状態であるとき、選択機構１０８の開口部１２４は、ハウジング１０２に設置された固定用指示表示を目視するために使用されてもよい。このように、ユーザーは、選択機構１０８が固定された状態にあるという検証だけでなく選択機構１０８の状態を決定する追加の方法を有してもよい。
【００１６】
図２Ｂでは、図１で示す模範的な実施形態の側面図が示され、デバイス保持装置が、デバイスを解放するための操作がなされる。デバイス保持装置は、ハウジング１０２にブラケットを使用して摺動可能に搭載された選択機構１０８を含んでもよい。選択機構１０８は、デバイス１０４（図１）をハウジング１０２から解放するため、情報処理システムデバイス１０４（図１）からリテーニング部位１１４を解放することにより、ハウジング１０２から情報処理システムの取り外しが可能となるように第２の位置に移動されてよい。アパーチャ１２０は、リテーニング部位１１４に接触させることによりリテーニング部位１１４を解放するために利用されてよい第２のエッジ部位１２８を含んでもよい。例えば、アパーチャ１２０の第２のエッジ部位１２８は、デバイス１０４（図１）の搭載用穴１１８（図１）からリテーニング部位１１４を持上げてもよく、それ故にハウジング１０２からデバイス１０４（図１）の取り外しが可能となる。このような方法では、デバイスは、ハウジングから改善された方法で、道具かつ他の多大な労力と時間を要する作業を必要とせず取り外される。
【００１７】
図３Ａでは、図１で示された模範的な実施形態の拡大された図が示され、選択機構が、固定位置にリテーニング部位を移動するのに利用される。ハウジング１０２は、一体化された部分として形成されたリテーニング部位１１４を含む。このようにして、リテーニング部位１１４及びハウジング１０２は、一の金属片から押し出されてよく、それ故に製造及び組立てのための更なる時間と費用の節約がなされる。選択機構１０８は、ハウジング１０２に設置され、図２Ａ及び図２Ｂに示すように摺動可能である。選択機構１０８に設置されたアパーチャ１２０によって、リテーニング部位１１４が増加された動作範囲で動作することが可能となる。選択機構１０８が固定位置に移動されたとき、アパーチャ１２０の第２のエッジ部位１３０がリテーニング部位１１４と接触することにより、リテーニング部位１１４がハウジング１０２の内部に向かって負荷される。図３Ｂ中に示す。従って、リテーニング部位１１４のリテーニングタブ１３２は、ハウジング１０２に情報処理システムデバイス１０４を固定するため、デバイス１０４と嵌合してもよい。リテーニング部位１１４を移動し固定するために選択機構１０８を利用することによって、リテーニング部位１１４は、ばね鋼により生成される必要がなく、結果として、金属、プラスティック、複合材料、及びその類のようなより安価な材料グレードが利用されてよいので更なるコスト削減につながる。
【００１８】
図３Ｃでは、図１で示された模範的な実施形態の拡大された図が示され、情報処理システムデバイスを解放するため、選択機構がリテーニング部位を移動するのに利用される。ハウジング１０２は、一体化部品として形成されたリテーニング部位１１４を含む。選択機構１０８は、ハウジング１０２に設置され、図２Ａ及び図２Ｂに示すように摺動可能である。選択機構１０８がハウジング１０２から情報処理システムデバイス１０４（図１）を解放するために移動されたとき、アパーチャ１２０の第２のエッジ部位１２８がリテーニング部位１１４と接触することにより、リテーニング部位１１４がハウジング１０２の内部から外方向に負荷される。選択機構１０８に設置されたアパーチャ１２０によって、リテーニング部位１１４が増加された動作範囲で動作することが可能となる。従って、リテーニング部位１１４のリテーニングタブ１３２は、デバイス１０４（図１）の挿入及びハウジング１０２からの取り外しに干渉しないような十分な距離まで移動してもよい。
【００１９】
第２のエッジ部位１２８に接触するのに適する持上げのためのリフティングタブ１３４を含むことも望ましく、それ故に信頼性が増加される。例えば、リフティングタブ１３４は、ハウジング若しくはデバイスから略外側に向かって伸張するように形成されて良い。それ故に、選択機構１０８がデバイス１０４（図１）を解放するため操作されたとき、リフティングタブ１３４は、デバイス１０４（図１）からリテーニングタブ１３２の取り外しを助けてもよい。従って、リテーニング部位１１４は、スプリングのような特性を有さない金属により生成されてよく、その代わりに、リテーニング部位は、選択機構１０８の移動により操作されてよい。
【００２０】
図４では、模範的な実施形態が示され、デバイス保持装置は、選択機構に向かってデバイスを片寄らせるのに適するバイアス機構を含む。デバイス保持装置１００は、情報処理システムデバイス１０４及び１０６（図１）を搭載するのに適するハウジング１０２を含んでよい。選択機構１０８は、ハウジング１０２の一の側面に設置されてよい。更に、バイアス機構１３６は、選択機構１０８に向かってハウジング１０２内に挿入されたデバイス１０４（図１）を片寄らせるため使用されるスプリング１３８を含んでよい。このように、デバイスは、更に固定されてよく、従って、リテーニング部位１１４とのより確実な固定結合を促進するだけでなくガタツキ及び望ましくない動きを防止することになる。
【００２１】
ガイドも、デバイスがハウジングに沿って改善された方法で摺動することを可能とするために設置されてもよい。例えば、バイアス機構１３６は、その上にデバイスが摺動するのを許容するのに適するレール１４０を含んでよい。更に、ガイドは、ハウジング１０２の一体化された部分として形成されてよい。例えば、ガイド１４２は、デバイスの底部が打ち込みガイド１４２の上側の部分１４４に沿って摺動することを許容するためハウジング１０２の打ち込み部位として形成されてよい。デバイスがハウジング１０２内に挿入されたときにデバイスの上部を固定すべく打ち込みガイドの下側の部分１４６を含むことも望ましい。
【００２２】
デバイス保持装置は、本発明の精神及び観点から逸脱することなく種々の方法で方向決めされ、種々のサイズを含んでもよい。例えば、図５に示すように、情報処理システム５００は、構成要素を環境的及び他の潜在的な有害な影響から保護すべく種々の構成要素及びデバイスを収容するためのシャシー５０２を含む。第１のデバイス保持装置５０４は、デバイスを固定する第１の選択機構５０６及び第２の選択機構５０８を含む。第１のデバイス保持装置５０４は、シャシー５０２内でシャシー５０２の前部からのデバイス５１０及び５１２の挿入及び取り外しを可能とすべく方向決めされる。この向きは、コンパクトディスク読み出し専用メモリ（ＣＤ−ＲＯＭｓ）、デジタルビデオ（ＤＶＤ）プレイヤー、フロッピードライバー、及びその類のような可動媒体デバイスに対して好ましく、デバイス保持装置５０４に固定されたときにユーザーがデバイス５１０及び５１２にアクセスすることを可能にさせる。選択機構５１４は、複数のデバイス５１６及び５２０をデバイス保持装置５０４に固定するように形成されてもよい。
【００２３】
更に、デバイス保持装置５２２は、シャシー５０２内にユーザーによって一般的に頻繁にアクセスされる必要のない通常のハードドライブ及びその類のような内部構成要素を固定すべく方向決めされてよい。例えば、デバイス保持装置５２２は、シャシー５０２の内部にデバイスを固定すべく方向決めされてよいが、シャシー５０２の側面に設置されたドアによってアクセスされてよい。5＋1/4インチ及び3＋1/2インチのデバイスのような種々のサイズは、本発明によって固定されてよく、本発明の精神及び観点から逸脱することがないことを認識されたい。
【００２４】
図６Ａ及び図６Ｂでは、更なる本発明の模範的な実施形態が示される。デバイス保持装置６００は、情報処理システムデバイス１０４及び１０６（図１）を固定するハウジング６０２を含む。ハウジング６０２の第１の側面６０４は、選択機構６０６及びバイアス機構６０８を含む。ハウジング６０２の第２の側面６１０は、選択機構６１２及びバイアス機構６０８を更に含んでよい。従って、デバイス保持装置６００は、２つの反対側の側面でデバイスを固定することができ、それ故、デバイスを更に確実に固定する。更に、２つのバイアス機構６０８及び６１４は、ハウジング６０２内におけるデバイスの望ましくない動きをも防止する。
【００２５】
図７では、本発明の更なる模範的な実施形態が示される。デバイス保持装置７００は、情報処理システムデバイス７０４を固定するハウジング７０２を含む。デバイス保持装置７００は、ハウジング７０２に設置された選択機構７０６を更に含んでもよい。選択機構７０６は、選択機構７０６のハウジング７０２の前部からの操作を許容すべくハウジング７０２から外方向に伸張するように形成されてよい。例えば、ハンドル７０８は、選択機構７０６の前側のエッジにユーザーが選択機構を上述のように固定・解放するためにハンドル７０８をつかむことができるように設置されてよい。従って、デバイス保持装置は、ハウジングの側面からデバイスにアクセスすることを要せず操作されてよく、それ故に限定されたスペースの環境下でデバイス保持装置の操作が可能となる。
【００２６】
本発明のデバイス保持装置及びその付随的な多くの効果は、上述によって理解されるだろうと確信する。また、本発明の観点及び精神から逸脱することなく、単なる説明的に過ぎない実施形態における前述されたその材料効果・形式の全てを犠牲にすることなく、種々の変更が構成要素の形式、構成、及び配置についてなされてよいことは明らかであるだろうとも確信する。そのような変更を内包・包含することが請求項の記載内容の意図である。
【図面の簡単な説明】
【図１】デバイス保持装置が情報処理システムデバイスを固定・解放するために利用された、本発明の模範的な実施形態の図である。
【図２Ａ】デバイス保持装置がデバイスを固定するために操作された、図１に示す模範的実施形態の側面図である。
【図２Ｂ】デバイス保持装置がデバイスを解放するために操作された、図１に示す模範的実施形態の側面図である。
【図３Ａ】選択機構が固定位置にリテーニング部位を移動するために利用された、図１に示す模範的実施形態の拡大図である。
【図３Ｂ】選択機構がリテーニング部位をデバイスの内部に押し込むことにより、デバイスがハウジングに固定させられた、図３Ａに示す模範的実施形態の端面を示す図である。
【図３Ｃ】情報処理システムデバイスを解放するため、選択機構がリテーニング部位を移動するために利用された、図１に示す模範的実施形態の拡大図である。
【図４】選択機構に向かってデバイスを片寄らせるのに適するバイアス機構を含むデバイス保持装置に関する模範的な実施形態を示す図である。
【図５】本発明の模範的なデバイス保持装置を組み込んだ情報処理システムを示す図である。
【図６Ａ】複数の選択機構及びバイアス機構が示された、本発明の追加的な模範実施形態を示す図である。
【図６Ｂ】複数の選択機構及びバイアス機構が示された、本発明の追加的な模範実施形態を示す図である。
【図７】ハウジングの前側開口部から外側に向かって伸張するように形成された選択機構を含むデバイス保持装置に関する本発明の追加的な模範実施形態を示す図である。
【符号の説明】
１００    デバイス保持組立体
１０２    ハウジング
１０４    情報処理システムデバイス
１０６    情報処理システムデバイス
１０８    選択機構
１１０    ブラケット
１１２    第１の位置
１１４    リテーニング部位
１１６    第２の位置
１１８    穴
１２０    アパーチャ
１２４    目視用部位
１３２    リテーニングタブ
１３４    リフティングタブ
１３６    バイアス機構
１３８    スプリング
１４０    レール
１４２    ガイド
１４４    ガイドの上側部分
１４６    ガイドの下側部分
５００    情報処理システム
５０２    シャシー
６００    デバイス保持装置
７００    デバイス保持装置
７０４    情報処理システムデバイス
７０８    ハンドル
【図１】
0003605048.tif 000002
【図２Ａ】
0003605048.tif 000003
【図２Ｂ】
0003605048.tif 000004
【図３Ａ】
0003605048.tif 000005
【図３Ｂ】
0003605048.tif 000006
【図３Ｃ】
0003605048.tif 000007
【図４】
0003605048.tif 000008
【図５】
0003605048.tif 000009
【図６Ａ】
0003605048.tif 000010
【図６Ｂ】
0003605048.tif 000011
【図７】
0003605048.tif 000012